(57)【要約】【課題】受光素子（フォトダイオード）が出力する電気信号の振幅を増幅する機能（ＡＧＣ）を有する光受信器において、ＡＧＣ増幅率の調整時間を短くする。【解決手段】可変ゲイン増幅器３３の増幅率制御（ＡＧＣ増幅率制御）を常時行うのではなく、送信側からの通信データに付加されたプリアンブルを受信しているときのみ可変ゲイン増幅器３３の増幅率制御を行い、プリアンブルを受信していないときには可変ゲイン増幅器３３の増幅率を固定する。このような処理により、光変調ＯＦＦの期間（信号レベルがゼロの期間）においてＡＧＣ増幅率が上がることがなく、前回のプリアンブル期間のＡＧＣ増幅率を次回のプリアンブル期間まで保持・継続することができる。これによって次回のプリアンブル受信時におけるＡＧＣ増幅率の調整時間（セットアップ時間）を短くすることができる。【選択図】図１
2013005327.tif 000002
【特許請求の範囲】
【請求項１】
同期用のプリアンブルを使用する光通信システムにおいて、送信側から送信される光信号を受信する光受信器であって、
前記送信側からの光信号を受信して電気信号に変換する受光素子と、前記受光素子が出力する電気信号の振幅を増幅する可変ゲイン増幅器と、前記可変ゲイン増幅器の増幅率を制御する制御手段とを備え、
前記制御手段は、前記送信側からの通信データに付加されたプリアンブルを受信しているときに前記可変ゲイン増幅器の増幅率制御を行い、前記プリアンブルを受信していないときには前記可変ゲイン増幅器の増幅率を固定することを特徴とする光受信器。
【請求項２】
請求項１記載の光受信器において、
前記プリアンブルを受信していないときに、前記受光素子が出力する電気信号に含まれる直流成分を直流成分検出手段にて検出し、その直流成分に基づいて、前記プリアンブル受信時における前記可変ゲイン増幅器の増幅率の初期値を設定することを特徴とする光受信器。
【請求項３】
請求項２記載の光受信器において、
前記直流成分と前記可変ゲイン増幅器の増幅率との関係が予め設定されたテーブルを用いて、プリアンブルを受信していないときの直流成分に基づいて前記プリアンブル受信時における前記可変ゲイン増幅器の増幅率の初期値を設定することを特徴とする光受信器。
【請求項４】
請求項２または３記載の光受信器において、
前記直流成分検出手段は、抵抗器とコンデンサとからなり、前記受光素子が出力する電気信号に含まれる直流成分のみを抽出するローパスフィルタであることを特徴とする光受信器。
【発明の詳細な説明】
【技術分野】
【０００１】
本発明は、可視光等を利用した光通信システムにおいて、送信側から送信される光信号を受信する光受信器に関する。
【背景技術】
【０００２】
近年、ＬＥＤ（発光ダイオード）などの光源が出力する可視光を利用してデータ通信を行う可視光通信システムが開発されている。
【０００３】
可視光通信システムの一例として、送信データに応じて照明機器等の光源を点滅制御することにより、照明光（可視光）に光変調信号を重畳して出力する光送信器と、この光送信器から送信される可視光信号（光変調信号）を受信し、その受信した光変調信号を復調して通信データを取得する光受信器とを備えたものがある（例えば、特許文献１参照）。
【０００４】
このような可視光通信システム等において、光変調信号を受信する光受信器としては、例えば、光変調信号を電気信号に変換する受光素子（例えば、フォトダイオード）、この受光素子の出力信号を増幅する初段増幅器、この初段増幅器にて増幅された電気信号から光変調信号（通信データ）に対応する周波数成分を抽出するバンドパスフィルタ、及び、バンドパスフィルタによって抽出された電気信号のゲインを調整して信号の振幅を一定に揃えるＡＧＣ（Ａｕｔｏ  Ｇａｉｎ  Ｃｏｎｔｒｏｌ；自動利得制御）回路などを備えたものがある（例えば、特許文献２または特許文献３参照）。なお、ＡＧＣ回路は、例えば、可変ゲイン増幅器と、そのゲイン（増幅率）を制御する制御部とを備えている。
【先行技術文献】
【特許文献】
【０００５】
【特許文献１】特開２００８−２５２４６５号公報
【特許文献２】特開２００１−１６８６６１号公報
【特許文献３】特開平０８−０１８５１０号公報
【発明の概要】
【発明が解決しようとする課題】
【０００６】
ところで、同期用のプリアンブルを使用する光通信システムにおいては、例えば図５に示すように、プリアンブルと通信データとがセットされた状態で転送され、その通信データが転送される光変調ＯＮの期間と、通信データ転送間の光変調ＯＦＦの期間とが設定されている。ここで、通常のＡＧＣ回路では、ＡＧＣ増幅率制御が常時行われているため、上記光変調ＯＦＦの期間（信号レベルがない期間）においてＡＧＣ回路増幅率が上がってしまう。そのため、次に、光変調信号が光変調ＯＮとなるとき（プリアンブル時）にＡＧＣ回路の増幅率（以下、ＡＧＣ増幅率ともいう）がオーバーする。こうした状況になると、ＡＧＣ増幅率が安定するまでに多くの時間が必要となるため、プリアンブルの目的である同期が取れるまでに時間がかかってしまう。また、通常のＡＧＣ回路では、光送信器と光受信器との間の通信距離が変化した場合などにおいて、光受信器側で受信した光変調信号の信号レベルが変化した場合には、適切なＡＧＣ増幅率を設定できない場合がある。
【０００７】
本発明はそのような実情を考慮してなされたもので、受光素子が出力する電気信号の振幅を増幅する機能（ＡＧＣ）を有する光受信器において、ＡＧＣ増幅率の調整時間を短くすることが可能な構成を実現することを目的とする。
【課題を解決するための手段】
【０００８】
本発明は、同期用のプリアンブルを使用する光通信システムにおいて、送信側から送信される光信号を受信する光受信器を対象としており、このような光受信器において、前記送信側からの光信号を受信して電気信号に変換する受光素子と、前記受光素子が出力する電気信号の振幅を増幅する可変ゲイン増幅器と、前記可変ゲイン増幅器の増幅率を制御する制御手段とを備えている。そして、その制御手段は、前記送信側からの通信データに付加されたプリアンブルを受信しているときに前記可変ゲイン増幅器の増幅率制御を行い、前記プリアンブルを受信していないときには前記可変ゲイン増幅器の増幅率を固定することを技術的特徴としている。
【０００９】
本発明によれば、可変ゲイン増幅器の増幅率制御（ＡＧＣ増幅率制御）を常時行うのではなく、送信側からのプリアンブルを受信しているとき（プリアンブル期間）にＡＧＣ増幅率制御を行い、プリアンブルを受信していないとき（光変調ＯＦＦの期間）にはＡＧＣ増幅率制御は行わないようにしている（増幅率固定）ので、光変調ＯＦＦの期間（信号レベルがゼロの期間）においてＡＧＣ増幅率が上がることがなく、前回のプリアンブル期間のＡＧＣ増幅率を次回のプリアンブル期間まで保持・継続することができる。これによって、次回のプリアンブル受信時におけるＡＧＣ増幅率の調整時間（セットアップ時間）を短くすることができる。
【００１０】
本発明において、プリアンブルを受信していないとき（光変調ＯＦＦ時）に、受光素子が出力する電気信号に含まれる直流成分を検出し、その直流成分に基づいて、上記プリアンブル受信時における可変ゲイン増幅器の増幅率（ＡＧＣ増幅率）の初期値を設定するようにしてもよい。このような構成を採用すれば、光通信システムを構成する光送信器と光受信器との間の通信距離の変化等により、受光素子での受信信号（光変調信号）の信号レベルが変化した場合であっても、ＡＧＣ増幅率を常に適切に設定することができる。
【００１１】
具体的には、例えば、受光素子が出力する電気信号に含まれる直流成分（受光素子で受光した光信号の光量に相当）と、適切なＡＧＣ増幅率との関係を予め計測してテーブル化しておき、プリアンブルを受信していないとき（光変調ＯＦＦ時）に、受光素子が出力する電気信号に含まれる直流成分を検出し、その直流成分に基づいて上記テーブルを参照してＡＧＣ増幅率を求める。そして、その直流成分を検出した後（光変調ＯＦＦ期間の後）の、次のプリアンブル時において、このプリアンブル時の初期の増幅率（初期値）を上記ＡＧＣ増幅率（上記直流成分から求めた増幅率）としてＡＧＣ増幅率の調整を行う。このような処理により、通信距離の変化等による受信信号の信号レベル変化に対応することができ、適切なＡＧＣ増幅率の調整を短時間で終了することができる。
【００１２】
なお、上記受光素子が出力する電気信号に含まれる直流成分を検出する直流成分検出手段の一例として、抵抗器とコンデンサとからなり、初段増幅器が出力する電気信号に含まれる直流成分のみを抽出するローパスフィルタを挙げることができる。このようなローパスフィルタを用いると、簡単な回路構成で直流成分を検出することができる。
【発明の効果】
【００１３】
本発明によれば、受光素子が出力する電気信号の振幅を増幅する機能を有する光受信器において、通信データに付加されたプリアンブルを受信しているときにのみ可変ゲイン増幅器の増幅率制御を行うようにしているので、ＡＧＣ増幅率の調整時間を短くすることできる。
【図面の簡単な説明】
【００１４】
【図１】本発明を適用する光受信器の一例を示すブロック図である。
【図２】ローパスフィルタの一例を示す図である。
【図３】光通信システムを構成する光送信器の一例を示すブロック図である。
【図４】フォトダイオードの出力信号を増幅する初段増幅器の出力信号（直流成分を含む信号）の波形図である。
【図５】光通信システムにおけるデータ転送の一例を示すタイミングチャートである。
【発明を実施するための形態】
【００１５】
以下、本発明の実施形態を図面に基づいて説明する。
【００１６】
この実施形態では、可視光通信にてデータ通信を行う光送信器と光受信器とを備えた光通信システムにおいて、上記光受信器に本発明を適用した場合の例について説明する。
【００１７】
−光送信器−
まず、光通信システムを構成する光送信器１００の一例について、図３を参照して説明する。この例の光送信器１００は、変調回路１０１、ＬＥＤ駆動回路１０２、及び、照明機器の光源であるＬＥＤ（発光ダイオード）１０３などを備えている。
【００１８】
変調回路１０１は、通信データ（照明光に重畳するデータ）を変調してＬＥＤ駆動回路１０２に出力する。変調回路１０１の信号変調方式は、光通信などで一般に用いられている変調方式であればよく、例えば、ＡＳＫ方式（Ａｍｐｌｉｔｕｄｅ  Ｓｈｉｆｔ  Ｋｅｙｉｎｇ；振幅偏移変調）方式やＰＰＭ（Ｐｕｌｓｅ  Ｐｏｓｉｔｉｏｎ  Ｍｏｄｕｌａｔｉｏｎ；パルス位置変調）方式を挙げることができる。また、ＱＰＳＫ（ｑｕａｄｒａｔｕｒｅ  ｐｈａｓｅ  ｓｈｉｆｔ  ｋｅｙｉｎｇ）方式などの直交変復調方式などを用いてもよい。
【００１９】
ＬＥＤ駆動回路１０２は、変調回路１０１にて変調された変調データに基づいてＬＥＤ１０３を高速点滅する。これによって照明光に重畳して光変調信号（通信データ）が出力される。その出力された光変調信号は光受信器１にて受信される。
【００２０】
ここで、この例の光送信器１００においては、プリアンブルと通信データとをセットした状態で送信（転送）する。その通信データ送信の際には、プリアンブルは通信データの先頭に付加される（図５参照）。
【００２１】
−光受信器−
次に、光受信器１について図１を参照して説明する。
【００２２】
光受信器１は、上記光送信器１００が出力する光変調信号（通信データ）を受光して、その光変調信号を電気信号（電流信号）に変換するフォトダイオード（受光素子）２、このフォトダイオード２で光電変換された電気信号を増幅する増幅回路３、及び、増幅回路３を通過した電気信号（光変調信号）を復調する復調回路４などを備えている。
【００２３】
増幅回路３は、初段増幅器（フォトダイオード受光回路）３１、バンドパスフィルタ３２、可変ゲイン増幅器３３、ローパスフィルタ３４、ＡＤコンバータ３５、処理制御部３６、及び、バイアス回路３７などを備えている。
【００２４】
初段増幅器３１は、オペアンプ３１ａと帰還抵抗器３１ｂとからなる増幅器（Ｉ−Ｖ変換器）であって、フォトダイオード２で光電変換された電気信号を増幅する。初段増幅器３１で増幅された電気信号はバンドパスフィルタ３２に入力される。
【００２５】
なお、初段増幅器（Ｉ−Ｖ変換回路）３１は、オペアンプ３１ａを用いた反転増幅回路であるので、オペアンプ３１ａの出力電圧Ｖは［Ｖ＝−Ｉｐｄ×Ｒ  Ｉｐｄ：フォトダイオード２の出力電流  Ｒ：帰還抵抗器３１ｂの抵抗値］となり、後述する直流成分（図４参照）は負の値となる。
【００２６】
バンドパスフィルタ３２は、例えば、減衰特性が３段バターワース特性（振幅平坦特性）のフィルタであって、初段増幅器３１が出力する電気信号に含まれるノイズ成分を除去して光変調信号（通信データ）のみを抽出する。このバンドパスフィルタ３２にて抽出された光変調信号は可変ゲイン増幅器３３によって振幅が調整される（詳細は後述する）。可変ゲイン増幅器３３はＡＤコンバータ３５にてＡ／Ｄ変換された後に、処理制御部３６に入力される。
【００２７】
処理制御部３６は、バンドパスフィルタ３２にて抽出され、可変ゲイン増幅器３３及びＡＤコンバータ３５を通過した光変調信号（通信データ）に所定の信号処理を行って復調回路４に出力する。具体的には、光変調信号をＡＤコンバータ３５により、光変調信号の２倍より高い周波数でサンプリングし、光変調信号をデジタル信号に変換する（サンプリング定理）。次に、その変換後のデータを移動平均フィルタに通してノイズ除去し復調回路４に出力する。復調回路４は処理制御部３６からの光変調信号を復調して通信データを取得する。
【００２８】
次に、本実施形態の光受信器１の特徴部分である「直流成分除去処理」及び「ＡＧＣ増幅率制御」について説明する。
【００２９】
−直流成分除去処理−
まず、図１に示す増幅回路３において、「直流成分除去」を行わない場合の初段増幅器３１の出力信号は図４に示すような波形となる。この図４から判るように、初段増幅器３１の出力信号には、光変調信号（通信データ）と、照明光等の２つの信号成分が含まれている。このため、初段増幅器３１の増幅率を大きくすることができない。つまり、初段増幅器３１の増幅率を大きくすると、照明光等の信号成分（ほぼ直流成分）も大きく増幅され初段増幅器３１の出力が飽和してしまう。
てしまう。
【００３０】
このような点を考慮して、本実施形態では、初段増幅器３１の出力信号に含まれる直流成分を抽出し、この直流成分を打ち消すように初段増幅器３１の入力側にバイアス電流を帰還することで、初段増幅器３１に入力される電気信号の直流成分を除去する。その具体的な構成について以下に説明する。
【００３１】
本実施形態では、図１に示すように、初段増幅器３１の出力信号に含まれる光変調信号（通信データ）を除去して直流成分（照明光等の信号成分）を抽出するローパスフィルタ３４と、ＤＡコンバータ３７ａ及び抵抗器３７ｂによって構成されるバイアス回路３７とを設け、このバイアス回路３７の出力端子（抵抗器３７ｂ）を初段増幅器３１の入力側（フォトダイオード２と初段増幅器３１との間）に接続している。
【００３２】
上記ローパスフィルタ３４にて抽出された直流成分はＡＤコンバータ３５にてＡ／Ｄ変換された後に処理制御部３６に入力される。処理制御部３６は、ローパスフィルタ３４で抽出された直流成分（Ａ／Ｄ変換後のデジタル信号）を一時記憶するとともに、その直流成分を打ち消す（直流成分がゼロになる）ようなバイアス信号（デジタル信号）をバイアス回路３７に出力する。バイアス回路３７では、処理制御部３６からのバイアス信号（デジタル信号）をＤＡコンバータ３７ａでアナログ信号（バイアス電流）に変換し、抵抗器３７ｂを通じて初段増幅器３１の上流側に帰還する。
【００３３】
このようにして、初段増幅器３１の入力側に、直流成分を打ち消すバイアス電流を流すことによって、初段増幅器３１に入力される電気信号の直流成分（照明光等の信号成分）を除去することができ、初段増幅器３１の増幅率を大きくすることが可能になる。これによって、例えば、微弱な光変調信号を受信することが可能になり、光変調信号の受信のダイナミックレンジを広げることができる。
【００３４】
次に、本実施形態に用いるローパスフィルタ３４の一例について図２を参照して説明する。図２に示すローパスフィルタ３４は、１個の抵抗器３４ａと、１個のコンデンサ３４ｂとからなる簡単な回路構成のフィルタである。
【００３５】
本実施形態に用いるローパスフィルタ３４では、上記したように初段増幅器３が出力する電気信号の直流成分のみを抽出することを目的としているので、カットオフ周波数ｆｃを小さい値に設定している。例えば、この例では、図２に示す抵抗器３４ａの抵抗値Ｒを１０ｋΩ、コンデンサ３４ｂの容量Ｃを１μＦとして、カットオフ周波数ｆｃを約１６Ｈｚ［ｆｃ＝１／（２π・Ｒ・Ｃ）≒１６Ｈｚ］に設定している。
【００３６】
そして、このようなローパスフィルタ３４を用いると、簡単な回路構成で、初段増幅器３１の出力信号に含まれる光変調信号（通信データ）を除去して直流成分（蛍光灯光等の外乱光信号成分）のみ抽出（検出）することが可能になる。
【００３７】
−ＡＧＣ増幅率制御−
まず、本実施形態を適用する光通信システムにおいては、図５に示すように、プリアンブルと通信データとがセットされた状態で転送され、その通信データが転送される光変調ＯＮの期間と、通信データ転送間の光変調ＯＦＦの期間とが設定されている。
【００３８】
ここで、通常のＡＧＣ回路では、バンドパスフィルタ３２を通過した信号を常に一定振幅まで増幅している。このような常時ＡＧＣ増幅率制御では、上記通信データ転送間の光変調ＯＦＦ時においてもＡＧＣ増幅率の調整が行われるため、その次のプリアンブル受信時に可変ゲイン増幅器３３の振幅が振り切ってしまい、ＡＤコンバータ３５のＡＤ値がオーバーフローした状態となってしまう。こうした状況になると、プリアンブル受信時に、可変ゲイン増幅器３３の出力値（ＡＤコンバータ３５のＡＤ値）を規定値内に収める（ＡＧＣ増幅率が安定する）のに多くの時間が必要になる。このため、プリアンブル期間を長くする必要があって、プリアンブルの目的である同期が取れるまでに時間がかかってしまう。
【００３９】
また、通常のＡＧＣ回路では、光送信器１００と光受信器１との間の通信距離が変化した場合などにおいて、光受信器１側で受信した光変調信号の信号レベルが変化した場合には、適切なＡＧＣ増幅率を設定できない場合がある。
【００４０】
このような点を考慮して、本実施形態では、可変ゲイン増幅器３３の増幅率の調整制御（ＡＧＣ増幅率制御ともいう）を、常時行うのではなく、プリアンブル受信時のみ行うようにすることで、ＡＧＣ増幅率の調整時間を短くすることを技術的特徴としている。その具体的なＡＧＣ増幅率制御（処理制御部３６が実行する制御）の一例について説明する。
【００４１】
まず、処理制御部３６は、フォトダイオード２で受信され、バンドパスフィルタ３２を通過した信号（Ａ／Ｄ変換後）に基づいて、プリアンブルを受信している期間（以下、プリアンブル期間ともいう）であるか否かを判定する。プリアンブル期間である場合はＡＧＣ増幅率制御を行う。具体的には、処理制御部３６は、プリアンブル期間中に、ＡＤコンバータ３５の出力値（ＡＤ値）が予め設定した規定範囲内（例えば、８ビットのＡＤコンバータ３５を使用した場合、ＡＤ値が２３５〜２４５の範囲内）に収まるように、可変ゲイン増幅器３３の増幅率を調整する。このようなＡＧＣ増幅率制御により、バンドパスフィルタ３２を通過した信号の振幅を一定に揃えることができる。
【００４２】
そして、そのＡＧＣ増幅率制御が完了した時点（ＡＤコンバータ３５のＡＤ値が規定範囲内に入った時点）で、可変ゲイン増幅器３３の増幅率を固定し、このＡＧＣ増幅率を次回のプリアンブル期間まで保持・継続する。このような処理により、図５に示す光変調ＯＦＦの期間（信号レベルがゼロの期間）ではＡＧＣ増幅率制御が実行されず、ＡＧＣ増幅率が上がることがないので、次回のプリアンブル期間でのＡＧＣ増幅率の調整時間を短くすることができる。
【００４３】
ここで、上述の如く、光送信器１００と光受信器１との間の通信距離の変化等により、フォトダイオード２が受信する光変調信号の信号レベルが変化（低下）する場合がある。これを解消するために、本実施形態では、上記したローパスフィルタ３４が抽出する直流成分（フォトダイオード２で受光した光信号の光量に相当）を用いて、プリアンブル時の初期のＡＧＣ増幅率を設定することによりＡＧＣ増幅率を適正に設定する。その具体的な例について説明する。
【００４４】
まず、本実施形態では、フォトダイオード２が出力する電気信号に含まれる直流成分（ローパスフィルタ３４にて抽出する直流成分）と、適切なＡＧＣ増幅率との関係を、予め計測・計算等によって取得してテーブル化しておき、そのテーブルを処理制御部３６に記憶しておく。また、本実施形態の処理制御部３６は、上述したように、ローパスフィルタ３４によって抽出され、ＡＤコンバータ３５を通過した直流成分を認識・記憶している。
【００４５】
そして、処理制御部３６は、図５に示す光変調ＯＦＦ期間において、上記ローパスフィルタ３４によって抽出される直流成分（Ａ／Ｄ変換後）を用いて上記テーブルを参照してＡＧＣ増幅率を求め、この光変調ＯＦＦ時に求めたＡＧＣ増幅率を、次回のプリアンブル時の初期のＡＧＣ増幅率とする。このような処理により、通信距離の変化等による受信信号（光変調信号）の信号レベル変化に対応することができ、適切なＡＧＣ増幅率の調整を短時間で終了することができる。
【００４６】
なお、通信距離の変化等がない場合（前回の光変調ＯＦＦ時の直流成分と、今回の光変調ＯＦＦ時の直流成分とに差がない場合）には、前回のプリアンブル時で設定したＡＧＣ増幅率を、そのまま今回のプリアンブル時の初期のＡＧＣ増幅率とする。
【００４７】
−他の実施形態−
以上の実施形態では、初段増幅器３１の出力信号に含まれる直流成分を検出する手段として、ローパスフィルタ３４を用いているが、本発明はこれに限られることなく、初段増幅器３１の出力信号に含まれる直流成分を検出できるものであれば、他の回路構成の検出手段を用いてもよい。
【００４８】
以上の実施形態では、変調回路１０１及びＬＥＤ１０３等を有する光送信器１００と、フォトダイオード２、増幅回路３及び復調回路４等を有する光受信器１とを備えた片方向通信の光通信システムを例にとって説明したが、本発明はこれに限られることなく、送信側及び受信側の両方に、ＬＥＤ駆動回路系（変調回路等）及び受光回路系（復調回路等）を備えさせた双方向通信の光通信システムに用いられる増幅回路にも適用可能である。
【００４９】
以上の実施形態では、ＬＥＤが出力する可視光を利用してデータ通信を行う可視光通信システムを例にとって説明したが、本発明にこれに限られることなく、例えば、蛍光灯などの放電灯、有機ＥＬ、無機ＥＬなどの光源が出力する可視光を利用してデータ通信を行う可視光通信システムに用いられる増幅回路にも適用可能である。
【産業上の利用可能性】
【００５０】
本発明は、可視光通信などにおいて光変調信号を受信する光受信器に利用可能であり、さらに詳しくは、受光素子が出力する電気信号の振幅を増幅する機能を有する光受信器において、ＡＧＣ増幅率の調整時間を短くする技術に有効に利用することができる。
【符号の説明】
【００５１】
１  光受信器
２  フォトダイオード（受光素子）
３  増幅回路
３１  初段増幅器
３１ａ  オペアンプ
３１ｂ  帰還抵抗器
３２  バンドパスフィルタ
３３  可変ゲイン増幅器
３４  ローパスフィルタ（直流成分検出手段）
３５  ＡＤコンバータ
３６  処理制御部（制御手段）
３７  バイアス回路
３７ａ  ＤＡコンバータ
３７ｂ  抵抗器
４  復調回路
１００  光送信器
１０１  変調回路
１０２  ＬＥＤ駆動回路
１０３  ＬＥＤ
【図１】
2013005327.tif 000003
【図２】
2013005327.tif 000004
【図３】
2013005327.tif 000005
【図４】
2013005327.tif 000006
【図５】
2013005327.tif 000007